(57)【要約】【課題】  集塵室のゴミを捨てる際の手間を大きく軽減できる電気掃除機を提供する。【解決手段】  ゴミを捨てる時は、開口部の把手１０を把手の係止部１１から解除し、手で把手１０を操作することにより、開口部９は回動軸１２を中心に回動する。この時、開口部はワンタッチで開けることができる。開口部９が開くと共に開口部９に連結されている突起８も一緒に回転し、集塵室７に張り付いているゴミを掻き出し、容易にゴミを捨てることができる。【選択図】      図４
2005230253.tif 000002
【特許請求の範囲】
【請求項１】
本体ケース内に集塵部、電動送風機収納部を有し、集塵部に塵挨を吸引分離する電気掃除機において、ゴミ圧縮機能を有し、集塵部の集塵室の開口部にゴミを掻き出す突起を取り付けることで集塵室に張り付いたゴミを掻き出し、集塵室のゴミをワンタッチで捨てることを可能としたことを特徴とする電気掃除機。
【請求項２】
前記集塵部内ではゴミの分離部と、ゴミを圧縮して溜める集塵室とが分かれて配置されていることを特徴とする請求項１記載の電気掃除機。
【請求項３】
本体ケース内に集塵部、電動送風機収納部を有し、集塵部に塵挨を吸引分離する電気掃除機において、該集塵部の集塵室の入口付近に周動する掻き落としリブを設置し、ゴミ捨ての際に該リブを動かすことで、集塵部入口付近に引っ掛ったゴミを直接押し出すと共に、集塵室内の圧縮したゴミも掻き出すことを可能とすることを特徴とする電気掃除機。
【請求項４】
本体ケース内に集塵部、電動送風機収納部を有し、集塵部に塵挨を吸引分離する電気掃除機において、ゴミ圧縮機能を有し、ゴミ捨て時に集塵部の集塵室の２面に設けた開口部を開くことにより、集塵室のゴミを簡単に捨てることを可能としたことを特徴とする電気掃除機。
【請求項５】
本体ケース内に集塵部、電動送風機収納部を有し、集塵部に塵挨を吸引分離する電気掃除機において、集塵部の集塵室内にゴミ圧縮用のメッシュと、集塵室からゴミを捨てる際にスライドさせて開閉するゴミ捨て蓋を設け、集塵室内にゴミを圧縮するメッシュを該ゴミ捨て蓋に配置し、ブラシ状のものをゴミ捨て蓋の圧縮用メッシュのスライド線上に配置することにより、ゴミを捨てる度に圧縮用メッシュを除塵するようにしたことを特徴とする電気掃除機。
【発明の詳細な説明】
【技術分野】
【０００１】
本発明は電気掃除機に関する。
【背景技術】
【０００２】
本体ケース内に集塵部、電動送風機収納部を有し、集塵部に塵挨を吸引分離する電気掃除機において、集塵部内でゴミの分離部とゴミを圧縮して溜める集塵室とが分かれて配置されているタイプの電気掃除機、所謂、サイクロン方式の電気掃除機は、従来のゴミを溜めるための紙パックが不必要であり、ゴミを溜めて捨てたいときに捨てることのできる簡便さから広く普及している。このようなサイクロン式の電気掃除機は一般的である（例えば、特許文献１参照）。
【特許文献１】特開２００３−２６００１３号公報
【発明の開示】
【発明が解決しようとする課題】
【０００３】
従来のサイクロン方式の電気掃除機のように、集塵部の集塵室内でゴミを圧縮する機構を付加している場合、その圧縮力によりゴミは集塵室に押し付けられているため、集塵室内のゴミを分離する際に容易に落下せず、集塵室からゴミを出す手間が増え、また、ゴミの分離部と集塵室とが分割された構成の場合、集塵室の入口にゴミが引っ掛かかるという問題があった。そこで本発明は、集塵室のゴミを捨てる際の手間を大きく軽減できる電気掃除機を提供することを目的とする。
【課題を解決するための手段】
【０００４】
上記課題を解決するために、本発明の請求項１に係る電気掃除機は、本体ケース内に集塵部、電動送風機収納部を有し、集塵部に塵挨を吸引分離する電気掃除機において、ゴミ圧縮機能を有し、集塵部の集塵室の開口部にゴミを掻き出す突起を取り付けることで集塵室に張り付いたゴミを掻き出し、集塵室のゴミをワンタッチで捨てることを可能とする構成とした。
【０００５】
本発明の請求項２に係る電気掃除機は、本体ケース内に集塵部、電動送風機収納部を有し、集塵部に塵挨を吸引分離する電気掃除機において、集塵部内ではゴミの分離部と、ゴミを圧縮して溜める集塵室とが分かれて配置されていて、ゴミ圧縮機能を有し、集塵部の集塵室の開口部にゴミを掻き出す突起を取り付けることで集塵室に張り付いたゴミを掻き出し、集塵室のゴミをワンタッチで捨てることを可能とする構成とした。
【０００６】
こうして、集塵室の開口部にゴミを掻き出す突起を取り付けることで集塵室に張り付いたゴミを容易に掻き出すことができ、集塵室のゴミを捨てる際の手間を大きく軽減できる。
【０００７】
本発明の請求項３に係る電気掃除機は、本体ケース内に集塵部、電動送風機収納部を有し、集塵部に塵挨を吸引分離する電気掃除機において、該集塵部の集塵室の入口付近に周動する掻き落としリブを設置し、ゴミ捨ての際に該リブを動かすことで、集塵部入口付近に引っ掛ったゴミを直接押し出すと共に、集塵室内の圧縮したゴミも掻き出すことを可能とする構成とした。
【０００８】
こうして、集塵室の入口付近に周動する掻き落としリブを設置し、ゴミ捨ての際に該リブを周動することにより、集塵室入口付近に引っ掛ったゴミを直接押し出すと共に、集塵室内の圧縮したゴミも掻き出すことが可能となる。
【０００９】
本発明の請求項４に係る電気掃除機は、本体ケース内に集塵部、電動送風機収納部を有し、集塵部に塵挨を吸引分離する電気掃除機において、ゴミ圧縮機能を有し、ゴミ捨て時に集塵部の集塵室の２面に設けた開口部を開くことにより、集塵室のゴミを簡単に捨てることを可能とする構成とした。
【００１０】
こうして、集塵室の開口部を圧縮部の面と下部の面の２面が開く構造とすることにより、ゴミが出てくる開口面積が大きくなり、容易にゴミを捨てることができ、集塵室のゴミを捨てる際の手間を大きく軽減できる。
【００１１】
本発明の請求項５に係る電気掃除機は、本体ケース内に集塵部、電動送風機収納部を有し、集塵部に塵挨を吸引分離する電気掃除機において、集塵部の集塵室内にゴミ圧縮用のメッシュと、集塵室からゴミを捨てる際にスライドさせて開閉するゴミ捨て蓋を設け、集塵室内にゴミを圧縮するメッシュを該ゴミ捨て蓋に配置し、ブラシ状のものをゴミ捨て蓋の圧縮用メッシュのスライド線上に配置することにより、ゴミを捨てる度に圧縮用メッシュを除塵するように構成した。
【００１２】
こうして、集塵部からモータへの流路に配置された圧縮用メッシュが細かなゴミを吸込んだ際に、ゴミを捨てる時に、ゴミを捨て蓋の圧縮用メッシュのスライド線上に設けられているブラシ状のものが圧縮用メッシュに張り付いた細かなゴミを除塵することが可能となり、早い段階での目詰りを防止することができる。
【発明の効果】
【００１３】
以上のように本発明の電気掃除機は、集塵室の開口部にゴミを掻き出す突起を取り付けることで集塵室に張り付いたゴミを掻き出すことができる。また、集塵室の入口の付近に周動する掻き落としリブを設置し、ゴミ捨ての際にそれを動かすことで、集塵室の入口付近に引っ掛かかったゴミを直接押し出すと同時に、集塵室内の圧縮したゴミも掻き出すことを可能とする。また、ブラシ状のものをゴミ捨て蓋の圧縮用メッシュのスライド線上に配置することにより、ゴミを捨てる度に圧縮用メッシュを除塵することができる。
【発明を実施するための最良の形態】
【００１４】
本発明の電気掃除機の実施形態について図を参照して説明する。図１は電気掃除機の一例であり、その本体断面図を示す。電気掃除機は集塵部１と電動送風機収納部２から構成され、３は本体ダストカバー、４はゴミ圧縮機能を有する集塵部（ダストボックス）、５は吸気流入口である。
【００１５】
本発明の電機掃除機に用いるダストボックスとしては種々の形態のものが考えられるので、以下に、簡易ダストボックスの各種の実施態様を図面に基づき説明する。
【実施例１】
【００１６】
電気掃除機の集塵部において、ゴミ圧縮機能を有する場合、ゴミをワンタッチで捨てる際に圧縮されたゴミは集塵部の集塵室に押し付けられるいるため、ゴミが容易に落下せず、集塵室からゴミを出す手間が増える。そこで、かかる欠点を解消するための本発明の電気掃除機に用いるダストボックス４の実施形態について図２〜図４を参照して説明する。
【００１７】
図２はダストボックスの正面断面図、図３はゴミ捨て前のダストボックスの平面断面図、図４はゴミ捨て時のダストボックスの平面断面図である。図２〜図４において、５は吸気流入口、６は流路で形成されるゴミを分離する遠心分離機構、７はゴミ圧縮機能を有した集塵室、８はゴミを掻き出すための突起、９は集塵室のゴミを捨てる開口部、１０は開口部の把手、１１は把手の係止部、１２は開口部の回動軸である。
【００１８】
掃除をしてゴミが集塵部の集塵室に集塵されている状態では、図２、図３のように、集塵室のゴミを捨てる開口部９は閉じられており、吸気流入口５ら吸込まれたゴミは、遠心分離機構６より分離され、ゴミ圧縮機能を有した集塵室７に分離される。この時、開口部９に連結されているゴミを掻き出すための突起８は、集塵室７の底面上に位置しているので、遠心分離機構６より分離されたゴミは、突起８の上面に落ちるようになっている。
【００１９】
ゴミを捨てる時は、図４に示すように、開口部の把手１０を把手の係止部１１から解除し、手で把手１０を操作することにより、開口部９は回動軸１２を中心に回動する。この時、開口部はワンタッチで開けることができる。開口部９が開くと共に開口部９に連結されている突起８も一緒に回転し、突起８の上面にあるゴミと集塵室７に張り付いているゴミを掻き出し、容易にゴミを捨てることができる。
【００２０】
このように、集塵室７の開口部９にゴミを掻き出す突起８を取り付けることで集塵室に張り付いたゴミを容易に掻き出すことができ、集塵室のゴミを捨てる際の手間を大きく軽減できる。
【実施例２】
【００２１】
電気掃除機に用いるダストボックスとして図５のものがある。即ち、図５において、図５（Ａ）はゴミの掻き出し機能がない場合のダストボックスの正面断面図、図５（Ｂ）は図５（Ａ）の線Ｃ−Ｃでの断面図を示す。図５において、５は吸気流入口、７はゴミ圧縮機能を有した集塵室、６は遠心分離機構を構成する流路、１３は集塵室入口、１４は圧縮用メッシュ部、１５はバイパス流路、１６、１７はダストフィルターである。
【００２２】
このような電気掃除機において、集塵部内のゴミを分離する際に、図５に示すようなタイプのダストボックスのように、ゴミの分離部と集塵室とが分割された構成の場合、集塵室の入口にゴミが引っ掛かかることがあり、また、集塵室内でゴミを圧縮する機構を付加している場合、その圧縮力により集塵室からゴミが落ちにくかった。
【００２３】
そこで、かかる欠点を解消するために、本発明の電気掃除機に用いるダストボックスの他の実施形態について図６を参照して説明する。図６（Ａ）はゴミ捨て前のダストボックスの正面断面図、図６（Ｂ）はゴミ捨て時のダストボックスの正面断面図である。尚、図５と同一物には同じ符号を付している。１８は掻き取りリブ、１９は掻き取りリブの把手、２０はリブの回動軸、２１はコイルバネである。
【００２４】
掃除を行ないゴミが集塵部に集塵されている状態では、図６（Ａ）のように、集塵室のゴミを捨てる開口部９は閉じられており、この時、ダストボックスに設けられた掻き取りリブ１８はコイルバネ２１で集塵室７の内側に固定され、掻き取りリブの把手１９で集塵室７を封止している。また、圧縮用メッシュ部１４は、メッシュ部表面に付着したゴミを簡単に除去できるように、ダストボックス４に着脱自在に装着されている。
【００２５】
吸気流入口５から吸込まれたゴミは、遠心分離機構６により瞬間分離され、ゴミ圧縮機能を有した集塵室入口１３から集塵室７に分離される。その際、空気は圧縮用メッシュ部１４を抜けてバイパス流路１５を通り、ダストフィルター１６、１７を通過したきれいな空気が電動送風機のモータへと流れ込む。
【００２６】
ゴミを捨てる時は、図６（Ｂ）に示すように、開口部９の把手（図示せず）を把手の係止部（図示せず）から解除し、手で把手を操作することにより、開口部９は回動軸を中心に回動する。この時、開口部９はワンタッチで開けることができる。
【００２７】
この時、掻き取りリブの把手１９を操作することより、掻き取りリブ１８をコイルバネ２１の力に抗して周動し、掻き取りリブの把手１９での集塵室７の封止を解除すると共に、集塵室７の入口付近に引っ掛かかったゴミを直接押し出し、また集塵室内の圧縮したゴミも同時に掻き出す。ゴミを落とした後、掻き取りリブ１８はコイルバネ２１により、元の位置にもどる。
【００２８】
このように、集塵室の入口付近に周動する掻き落としリブを設置し、ゴミ捨ての際に該リブを周動することにより、集塵室入口付近に引っ掛ったゴミを直接押し出すと共に、集塵室内の圧縮したゴミも掻き出すことが可能となる。
【実施例３】
【００２９】
次に、本発明の電気掃除機に用いるダストボックスの他の実施形態について図７〜図９を参照して説明する。図７はダストボックスの正面断面図、図８はゴミ捨て前のダストボックスの平面断面図、図９はゴミ捨て時のダストボックスの平面断面図である。図７〜図９において、５は吸気流入口、６は流路で形成されるゴミを分離する遠心分離機構、７はゴミ圧縮機能を有した集塵室、９は集塵室のゴミを捨てる第１の開口部、１０は第１の開口部の把手、１１は把手の係止部、１２は第１の開口部の回動軸、２２は第２の開口部、２３は第２の開口部の回動軸である。
【００３０】
掃除を行ないゴミが集塵室に集塵されている状態では、図７、図８のように、集塵室のゴミを捨てる第１の開口部９及び第２の開口部２２は閉じられており、吸気流入口５ら吸込まれたゴミは、遠心分離機構６により瞬間分離され、ゴミ圧縮機能を有した集塵室７に分離される。
【００３１】
ゴミを捨てる時は、図９に示すように、第１の開口部９の把手１０を係止部１１から解除し、手で把手１０を操作することにより、第１の開口部９は回動軸１２を中心に回動する。この時、開口部はワンタッチで開けることができる。第１の開口部９が開くと共に第２の開口部２２も連動して開放する。この結果、集塵室の２面を同時に開口させることで、ゴミが出てくる開口面積が大きくなる。
【００３２】
こうして、集塵室の開口部を圧縮部の面と下部の面の２面が開く構造とすることにより、ゴミが出てくる開口面積が大きくなり、容易にゴミを捨てることができ、集塵室のゴミを捨てる際の手間を大きく軽減できる。
【実施例４】
【００３３】
従来、サイクロン方式など、ゴミを溜めて捨てたいときに捨てることのできる集塵部をもつ電気掃除機において、ゴミを集塵室内にて圧縮させるために、集塵部からモータへの流路に圧縮用メッシュを設けていた。しかし、この圧縮用のメッシュは細かなゴミを吸込んだ際に、早い段階で目詰りを起こし、十分にゴミの圧縮を行えなかった。本発明はかかる欠点を解消するものである。次に、本発明の電気掃除機に用いるダストボックスの他の実施形態について図１０〜図１１を参照して説明する。
【００３４】
図１０はゴミ捨て前のダストボックスの平面断面図、図１１はゴミ捨て時のダストボックスの平面断面図である。図１０、図１１において、４はダストボックス、５は吸気流入口、７はゴミ圧縮機能を有した集塵室、１１は把手の係止部（クランプ）、１３は集塵室入口、２４は集塵室のゴミ捨て蓋、２５はゴミ捨て蓋の圧縮用メッシュ、２６は圧縮用メッシュ２５のスライド線上に配置されたブラシまたはブラシ状のものである。
【００３５】
掃除を行ないゴミが集塵室に集塵されている状態では、図１０のように、集塵室のゴミを捨て蓋２５は閉じられており、吸気流入口５ら吸込まれたゴミは、遠心分離機構により瞬間分離され、ゴミ圧縮機能を有した集塵室７に分離される。
【００３６】
ゴミを捨てる時は、図１０に示すように、ゴミを捨て蓋２５を係止部１１から解除し、ゴミ捨て蓋２５を集塵室の開口をバネ等の力でスライドさせて開閉することにより、ブラシ２６がゴミ捨て蓋２４の圧縮用メッシュ２５のスライド線上に設けられているので、ゴミを捨てる度に、ブラシ２６が圧縮用メッシュ２５に張り付いた細かなゴミを除塵することが可能となる。
【図面の簡単な説明】
【００３７】
【図１】電気掃除機の本体断面図。
【図２】本発明のダストボックスの正面断面図。
【図３】本発明のゴミ捨て前のダストボックスの平面断面図。
【図４】本発明のゴミ捨て時のダストボックスの平面断面図。
【図５】従来のダストボックスの正面断面図。
【図６】本発明のゴミ捨て前、ゴミ捨て時の他のダストボックスの平面断面図。
【図７】本発明の他のダストボックスの正面断面図。
【図８】本発明のゴミ捨て前の他のダストボックスの平面断面図。
【図９】本発明のゴミ捨て時の他のダストボックスの平面断面図。
【図１０】本発明のゴミ捨て前の他のダストボックスの平面断面図。
【図１１】本発明のゴミ捨て時の他のダストボックスの平面断面図。
【符号の説明】
【００３８】
１                集塵部
２                電動送風機収納部
３                本体ダストカバー
４                集塵部（ダストボックス）
５                吸気流入口
６                流路でなる遠心分離機構
７                集塵室
８                ゴミ掻き出し用突起
９                第１の開口部
１０              開口部の把手
１１              把手の係止部
１２              開口部の回動軸
１３              集塵室入口
１４              メッシュ部
１５              バイパス流路
１６、１７        ダストフィルター
１８              掻き取りリブ
１９              リブの把手
２０              リブの回動軸
２１              コイルバネ
２２              第２の開口部
２３              第２の開口部の回動軸
２４              ゴミ捨て蓋
２５              圧縮用メッシュ
２６              ブラシ
【図１】
2005230253.tif 000003
【図２】
2005230253.tif 000004
【図３】
2005230253.tif 000005
【図４】
2005230253.tif 000006
【図５】
2005230253.tif 000007
【図６】
2005230253.tif 000008
【図７】
2005230253.tif 000009
【図８】
2005230253.tif 000010
【図９】
2005230253.tif 000011
【図１０】
2005230253.tif 000012
【図１１】
2005230253.tif 000013